(57)【要約】【課題】本発明は、天井扇風機の取付けにおいて、落下防止手段であるワイヤーを忘れることなく確実に固定することができることを目的とするものである。【解決手段】そして、この目的を達成するために本発明は、垂直方向に連通した筒形状のパイプ部５の上部側面には、水平方向に連通した複数の孔である開口部１１を有し、落下防止手段６は、少なくとも一部はパイプ部５の内部に位置すると共に、天井扇風機本体３から伸びたワイヤー部８と、このワイヤー部８の先端に設けた環形状の引掛部７とからなり、ジョイント部４は天井に係合可能な棒状の第１の軸部１４と、この第１の軸部１４の下方に位置すると共にパイプ部５の開口部１１に挿入可能な棒状の第２の軸部１５と、第１の軸部１４と第２の軸部１５の一方側端部を連結する連結部１６とから形成し、落下防止手段６の引掛部７をパイプ部５の開口部１１に対向して固定する固定手段を備えたことを特徴とする。【選択図】図３
2013217273.tif 000002
【特許請求の範囲】
【請求項１】
天井に係合可能なジョイント部と、このジョイント部に係合可能なパイプ部と、このパイプ部の下部に備えた天井扇風機本体と、この天井扇風機本体から伸びた落下防止手段とから構成し、前記パイプ部は、垂直方向に連通した筒形状で、上部側面には、水平方向に連通した複数の孔である開口部を有し、前記落下防止手段は、少なくとも一部は前記パイプ部の内部に位置すると共に、前記天井扇風機本体から伸びたワイヤー部と、このワイヤー部の先端に設けた環形状の引掛部とからなり、前記ジョイント部は、天井に係合可能な棒状の第１の軸部と、この第１の軸部の下方に位置すると共に前記パイプ部の前記開口部に挿入可能な棒状の第２の軸部と、前記第１の軸部と前記第２の軸部の一方側端部を連結する連結部とから形成し、前記引掛部を前記開口部に対向して固定する固定手段を備えたことを特徴とする天井扇風機。
【請求項２】
前記固定手段は、一方側の前記開口部の上部から前記パイプ部内方へ突出した突起部であり、この突起部に前記引掛部を引っ掛ける構成とする請求項１に記載の天井扇風機。
【請求項３】
前記固定手段は、前記パイプ部の上端部から一方側の前記開口部の上部に伸びた複数の切欠部であり、これら複数の切欠部に前記引掛部を引っ掛ける構成とする請求項１に記載の天井扇風機。
【請求項４】
前記落下防止手段は金属製で、前記引掛部の外径は、前記パイプ部の内径より大きいことを特徴とする請求項１から３のいずれかに記載の天井扇風機。
【請求項５】
前記パイプ部側面の色は、前記落下防止手段の色とは異なることを特徴とする請求項２から４のいずれかに記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。
【０００３】
すなわち、天井に係合可能なジョイント部と、このジョイント部に係合可能なパイプ部と、このパイプ部の下部に備えた天井扇風機本体と、この天井扇風機本体から伸びた落下防止手段とから構成し、前記落下防止手段はワイヤーであり前記ワイヤーの先端を前記パイプ部にねじ止めにて固定された構成となっていた。
【０００４】
例えば、これに類似する先行文献は下記特許文献１に記載されている。
【先行技術文献】
【特許文献】
【０００５】
【特許文献１】特開平５−１５７０９２号公報
【発明の概要】
【発明が解決しようとする課題】
【０００６】
上記従来例における課題は、天井扇風機本体から伸びた落下防止手段であるワイヤーの固定忘れであった。
【０００７】
すなわち、天井扇風機を組立てる過程は、ジョイント部を天井に係合し、天井扇風機本体にパイプ部を取り付け、天井扇風機を備えたパイプ部をジョイント部に係合し、最後に天井扇風機本体から伸びた落下防止手段であるワイヤーの先端をパイプ部にねじ止めにて固定するが、このワイヤーのパイプ部への固定忘れがあった。
【０００８】
万が一、組立作業の不備や長期間補修せずに使用し続けることにより天井扇風機本体とパイプ部を係合している部分より亀裂が進行して破断した場合、落下防止手段であるワイヤーは天井扇風機本体の落下を防止できる重要な部品であり、このワイヤーの固定忘れは危険を伴うものである。
【０００９】
そこで、本発明は、天井扇風機から伸びた落下防止手段であるワイヤーの固定を忘れることなく確実に実施することができることを目的とするものである。
【課題を解決するための手段】
【００１０】
そして、この目的を達成するために、本発明は、天井に係合可能なジョイント部と、このジョイント部に係合可能なパイプ部と、このパイプ部の下部に備えた天井扇風機本体と、この天井扇風機本体から伸びた落下防止手段とから構成し、前記パイプ部は、垂直方向に連通した筒形状で、上部側面には、水平方向に連通した複数の孔である開口部を有し、前記落下防止手段は、少なくとも一部は前記パイプ部の内部に位置すると共に、前記天井扇風機本体から伸びたワイヤー部と、このワイヤー部の先端に設けた環形状の引掛部とからなり、前記ジョイント部は、天井に係合可能な棒状の第１の軸部と、この第１の軸部の下方に位置すると共に前記パイプ部の前記開口部に挿入可能な棒状の第２の軸部と、前記第１の軸部と前記第２の軸部の一方側端部を連結する連結部とから形成し、前記引掛部を前記開口部に対向して固定する固定手段を備えたことを特徴としたものであり、これにより所期の目的を達成するものである。
【発明の効果】
【００１１】
本発明によれば、天井に係合可能なジョイント部と、このジョイント部に係合可能なパイプ部と、このパイプ部の下部に備えた天井扇風機本体と、この天井扇風機本体から伸びた落下防止手段とから構成し、前記パイプ部は、垂直方向に連通した筒形状で、上部側面には、水平方向に連通した複数の孔である開口部を有し、前記落下防止手段は、少なくとも一部は前記パイプ部の内部に位置すると共に、前記天井扇風機本体から伸びたワイヤー部と、このワイヤー部の先端に設けた環形状の引掛部とからなり、前記ジョイント部は、天井に係合可能な棒状の第１の軸部と、この第１の軸部の下方に位置すると共に前記パイプ部の前記開口部に挿入可能な棒状の第２の軸部と、前記第１の軸部と前記第２の軸部の一方側端部を連結する連結部とから形成し、前記引掛部を前記開口部に対向して固定する固定手段を備えたことを特徴とするものであり、天井扇風機から伸びた落下防止手段であるワイヤーのパイプ部への固定を忘れることなく確実に実施することができるものである。
【００１２】
すなわち、パイプ部の内部に落下防止手段であるワイヤー部の先端に設けられた環形状の引掛部がパイプ部の開口部に対向した位置に固定されて備えられているので、ジョイント部の第２の軸部にパイプ部の開口部を連通する際に、同時にワイヤー部の先端に設けられた環形状の引掛部も連通することができる。
【００１３】
結果として、落下防止手段であるワイヤーの先端をねじ止めにて固定することなく、ジョイント部の第２の軸部にパイプ部の開口部を連通すると同時にワイヤー部の先端に設けられた環形状の引掛部も連通するので、忘れることなく確実に落下防止手段であるワイヤーを固定することができるものである。
【図面の簡単な説明】
【００１４】
【図１】本発明の実施の形態１の天井扇風機の概要を示す図
【図２】同、ジョイント部とパイプ部の概要を示す図
【図３】同、ジョイント部とパイプ部の概要を示す外観斜視図
【図４】本発明の実施の形態２と４の天井扇風機のジョイント部とパイプ部の概要を示す図
【図５】同、ジョイント部とパイプ部の概要を示す外観斜視図
【図６】本発明の実施の形態３の天井扇風機のジョイント部とパイプ部の概要を示す図
【図７】同、ジョイント部とパイプ部の概要を示す外観斜視図
【発明を実施するための形態】
【００１５】
本発明の請求項１記載の天井扇風機は、天井に係合可能なジョイント部と、このジョイント部に係合可能なパイプ部と、このパイプ部の下部に備えた天井扇風機本体と、この天井扇風機本体から伸びた落下防止手段とから構成し、前記パイプ部は、垂直方向に連通した筒形状で、上部側面には、水平方向に連通した複数の孔である開口部を有し、前記落下防止手段は、少なくとも一部は前記パイプ部の内部に位置すると共に、前記天井扇風機本体から伸びたワイヤー部と、このワイヤー部の先端に設けた環形状の引掛部とからなり、前記ジョイント部は、天井に係合可能な棒状の第１の軸部と、この第１の軸部の下方に位置すると共に前記パイプ部の前記開口部に挿入可能な棒状の第２の軸部と、前記第１の軸部と前記第２の軸部の一方側端部を連結する連結部とから形成し、前記引掛部を前記開口部に対向して固定する固定手段を備えた構成を有する。
【００１６】
これにより、パイプ部の内部に落下防止手段であるワイヤー部の先端に設けられた環形状の引掛部がパイプ部の開口部に対向した位置に固定されて備えられていることにより、ジョイント部の第２の軸部にパイプ部の開口部を連通する際に、同時にワイヤー部の先端に設けられた環形状の引掛部も連通することができるので、忘れることなく確実に落下防止手段であるワイヤーを固定できるという効果を奏する。
【００１７】
また、前記固定手段は、一方側の前記開口部の上部から前記パイプ部内方へ突出した突起部であり、この突起部に前記引掛部を引っ掛ける構成としてもよい。
【００１８】
これにより、パイプ部の内部に落下防止手段であるワイヤー部の先端に設けられた環形状の引掛部が、パイプ部の一方側の開口部の上部からパイプ部内方へ突出した突起部に引っ掛けられて、パイプ部の開口部に対向した位置に固定されて備えられていることにより、ジョイント部の第２の軸部にパイプ部の開口部を連通する際に、同時にワイヤー部の先端に設けられた環形状の引掛部も連通することができるので、忘れることなく確実に落下防止手段であるワイヤーを固定できるという効果を奏する。
【００１９】
また、前記固定手段は、前記パイプ部の上端部から一方側の前記開口部の上部に伸びた複数の切欠部であり、これら複数の切欠部に前記引掛部を引っ掛ける構成としてもよい。
【００２０】
これにより、パイプ部の内部に落下防止手段であるワイヤー部の先端に設けられた環形状の引掛部が、パイプ部の上端部から一方側の開口部の上部に伸びた複数の切欠部に引っ掛けられて、パイプ部の開口部に対向した位置に固定されて備えられていることにより、ジョイント部の第２の軸部にパイプ部の開口部を連通する際に、同時にワイヤー部の先端に設けられた環形状の引掛部も連通することができるので、忘れることなく確実に落下防止手段であるワイヤーを固定できるという効果を奏する。
【００２１】
また、前記落下防止手段は金属製で、前記引掛部の外径は、前記パイプ部の内径より大きい構成としてもよい。
【００２２】
これにより、パイプ部の内部に落下防止手段であるワイヤー部の先端に設けられた環形状の引掛部が弾性を有する金属製でその外形がパイプ部内径より大きいことにより、環形状の引掛部がパイプ部の内部で楕円形状となるが、楕円形状が環形状に戻ろうとする反発力でパイプ部の開口部に対向した位置にしっかりと固定して備えることができるので、ジョイント部の第２の軸部にパイプ部の開口部を連通する際に、同時にワイヤー部の先端に設けられた環形状の引掛部を確実に連通することができるという効果を奏する。
【００２３】
また、前記パイプ部側面の色は、前記落下防止手段の色とは異なる構成としてもよい。
【００２４】
これにより、パイプ部の内部に落下防止手段であるワイヤー部の先端に設けられた環形状の引掛部の色がパイプ部側面の色と異なることにより、パイプ部の開口部に対向した位置に固定されて備えられているかどうかが容易に判断できるので、ジョイント部の第２の軸部にパイプ部の開口部を連通した後で、ワイヤー部の先端に設けられた環形状の引掛部が連通できているかどうかを容易に確認できるという効果を奏する。
【００２５】
以下、本発明の実施の形態について図面を参照しながら説明する。
【００２６】
（実施の形態１）
図１は、本発明の実施の形態の天井扇風機の概要を示す図である。図２は、本発明の実施の形態の天井扇風機のジョイント部とパイプ部の概要を示す図である。図３は、本発明の実施の形態の天井扇風機のジョイント部とパイプ部の概要を示す外観斜視図である。
【００２７】
図１から図３に示すように、天井扇風機は天井１に固定される吊下部２と、吊下部２を介して係合可能な天井扇風機本体３とから構成されている。天井扇風機本体３はジョイント部４と、パイプ部５と、モータ部９と、羽根部１０と、本体カバー部１７とを備えている。
【００２８】
天井扇風機本体３は上部に、吊下部２に係合可能なジョイント部４が備えられており、このジョイント部４の下部には係合された円筒形状のパイプ部５が構成されている。
【００２９】
パイプ部５の上部側面には水平方向に連通した複数の孔である開口部１１を有し、下部にはモータ部９が固定されている。モータ部９の周縁部には着脱可能な複数の金属製の羽根部１０が固定されている。この羽根部１０は、モータ部９から外方水平方向に延びるように固定される。
【００３０】
モータ部９の上部には落下防止手段６が具備されている。この落下防止手段６はワイヤー部８と、ワイヤー部８の先端に設けられた環形状の引掛部７とから構成され、少なくとも一部はパイプ部５の内部に位置している。
【００３１】
ジョイント部４は、天井に係合可能な棒状の第１の軸部１４と、この第１の軸部１４の下方に位置すると共に前記パイプ部５の前記開口部１１に挿入可能な棒状の第２の軸部１５と、前記第１の軸部１４と前記第２の軸部１５の一方側端部を連結する連結部１６とから形成されている。
【００３２】
本実施形態における特徴は、天井扇風機本体３から伸びた落下防止手段６であるワイヤーの固定方法にある。パイプ部５の内部に位置した落下防止手段６であるワイヤー部８の先端は環形状の引掛部７になっており、この引掛部７はパイプ部５の開口部１１に対向して配置されるように固定手段が備えられている。
【００３３】
具体的には、パイプ部５の開口部１１の一方側の上部からパイプ部５の内方へ突出した突起部１２に引掛部７を引っ掛けて固定することにより、この引掛部７はパイプ部５の上部側面に水平方向に連通した複数の孔である開口部１１に対向して配置されるものである。
【００３４】
すなわち、パイプ部５の内部に落下防止手段６であるワイヤー部８の先端に設けられた環形状の引掛部７がパイプ部５の開口部１１に対向した位置に固定されて備えられているので、ジョイント部４の第２の軸部１５にパイプ部５の開口部１１を連通する際に、同時にワイヤー部８の先端に設けられた環形状の引掛部７も連通することができる。
【００３５】
ここで、落下防止手段６であるワイヤー部８の先端をねじ止めにて固定することなく、ジョイント部４の第２の軸部１５にパイプ部５の開口部１１を連通すると同時にワイヤー部８の先端に設けられた環形状の引掛部７も連通するので、忘れることなく確実に落下防止手段６であるワイヤーを固定することができるものである。
【００３６】
（実施の形態２）
図４は、本発明の実施の形態の天井扇風機のジョイント部とパイプ部の概要を示す図である。図５は、本発明の実施の形態の天井扇風機のジョイント部とパイプ部の概要を示す外観斜視図である。
【００３７】
実施の形態１と同様の構成要素については同一の符号を付し、その詳細な説明は省略する。
【００３８】
実施の形態１と相違する点は、天井扇風機本体３から伸びた落下防止手段６であるワイヤーの固定方法にある。
【００３９】
図４から図５に示すように具体的には、パイプ部５の内部に落下防止手段６であるワイヤー部８の先端に設けられた環形状の引掛部７は、パイプ部５の上端部から一方側の開口部１１の上部に伸びた複数の切欠部１３に引っ掛けて固定するものである。
【００４０】
すなわち、パイプ部５の内部に落下防止手段６であるワイヤー部８の先端に設けられた環形状の引掛部７がパイプ部５の開口部１１に対向した位置に固定されて備えられているので、ジョイント部４の第２の軸部１５にパイプ部５の開口部１１を連通する際に、同時にワイヤー部８の先端に設けられた環形状の引掛部７も連通することができる。
【００４１】
ここで、落下防止手段６であるワイヤー部８の先端をねじ止めにて固定することなく、ジョイント部４の第２の軸部１５にパイプ部５の開口部１１を連通すると同時にワイヤー部８の先端に設けられた環形状の引掛部７も連通するので、忘れることなく確実に落下防止手段６であるワイヤーを固定することができるものである。
【００４２】
（実施の形態３）
図６は、本発明の実施の形態の天井扇風機のジョイント部とパイプ部の概要を示す図である。図７は、本発明の実施の形態の天井扇風機のジョイント部とパイプ部の概要を示す外観斜視図である。
【００４３】
実施の形態１と同様の構成要素については同一の符号を付し、その詳細な説明は省略する。
【００４４】
実施の形態１と相違する点は、天井扇風機本体３から伸びた落下防止手段６であるワイヤーの固定方法にある。
【００４５】
図６から図７に示すように具体的には、落下防止手段６である天井扇風機本体３から伸びたワイヤー部８と、このワイヤー部８の先端に設けた環形状の引掛部７は金属製で、この引掛部７の外径はパイプ部５の内径より大きいものである。
【００４６】
すなわち、パイプ部５の内部に落下防止手段６であるワイヤー部８の先端に設けられた環形状の引掛部７が弾性を有する金属製でその外形がパイプ部５の内径より大きいことにより、環形状の引掛部７がパイプ部５の内部で楕円形状となるが、楕円形状が環形状に戻ろうとする反発力でパイプ部５の開口部１１に対向した位置にしっかりと固定して備えることができるので、ジョイント部４の第２の軸部１５にパイプ部５の開口部１１を連通する際に、同時にワイヤー部８の先端に設けられた環形状の引掛部７を確実に連通することができる。
【００４７】
ここで、落下防止手段６であるワイヤー部８の先端をねじ止めにて固定することなく、ジョイント部４の第２の軸部１５にパイプ部５の開口部１１を連通すると同時にワイヤー部８の先端に設けられた環形状の引掛部７も連通するので、忘れることなく確実に落下防止手段６であるワイヤーを固定することができるものである。
【００４８】
（実施の形態４）
図４は、本発明の実施の形態の天井扇風機のジョイント部とパイプ部の概要を示す図である。図５は、本発明の実施の形態の天井扇風機のジョイント部とパイプ部の概要を示す外観斜視図である。
【００４９】
実施の形態２と同様の構成要素については同一の符号を付し、その詳細な説明は省略する。
【００５０】
実施の形態２と相違する点は、落下防止手段６の視認性の向上である。
【００５１】
図４から図５に示すように具体的には、パイプ部５の側面の色と落下防止手段６の色とは異なる構成としたものである。
【００５２】
すなわち、パイプ部５の内部に落下防止手段６であるワイヤー部８の先端に設けられた環形状の引掛部７の色がパイプ部５の側面の色と異なることにより、パイプ部５の開口部１１に対向した位置に固定されて備えられているかどうかが容易に判断できるので、ジョイント部４の第２の軸部１５にパイプ部５の開口部１１を連通した後で、ワイヤー部８の先端に設けられた環形状の引掛部７が連通できているかどうかを容易に確認することができる。
【００５３】
ここで、ジョイント部４の第２の軸部１５にパイプ部５の開口部１１を連通する際にワイヤー部８の先端に設けられた環形状の引掛部７も連通したかどうかが容易に判断できるので、確実に落下防止手段６であるワイヤーを固定することができるものである。
【産業上の利用可能性】
【００５４】
本発明によれば、天井に係合可能なジョイント部と、このジョイント部に係合可能なパイプ部と、このパイプ部の下部に備えた天井扇風機本体と、この天井扇風機本体から伸びた落下防止手段とから構成し、前記パイプ部は、垂直方向に連通した筒形状で、上部側面には、水平方向に連通した複数の孔である開口部を有し、前記落下防止手段は、少なくとも一部は前記パイプ部の内部に位置すると共に、前記天井扇風機本体から伸びたワイヤー部と、このワイヤー部の先端に設けた環形状の引掛部とからなり、前記ジョイント部は、天井に係合可能な棒状の第１の軸部と、この第１の軸部の下方に位置すると共に前記パイプ部の前記開口部に挿入可能な棒状の第２の軸部と、前記第１の軸部と前記第２の軸部の一方側端部を連結する連結部とから形成し、前記引掛部を前記開口部に対向して固定する固定手段を備えたことを特徴とするものであり、天井扇風機から伸びた落下防止手段であるワイヤーのパイプ部への固定を忘れることなく確実に実施することができるものである。
【００５５】
すなわち、パイプ部の内部に落下防止手段であるワイヤー部の先端に設けられた環形状の引掛部がパイプ部の開口部に対向した位置に固定されて備えられているので、ジョイント部の第２の軸部にパイプ部の開口部を連通する際に、同時にワイヤー部の先端に設けられた環形状の引掛部も連通することができる。
【００５６】
結果として、落下防止手段であるワイヤーの先端をねじ止めにて固定することなく、ジョイント部の第２の軸部にパイプ部の開口部を連通すると同時にワイヤー部の先端に設けられた環形状の引掛部も連通するので、忘れることなく確実に落下防止手段であるワイヤーを固定することができるものである。
【００５７】
従って、家庭用や事務用などの、天井扇風機としての活用が期待されるものである。
【符号の説明】
【００５８】
１    天井
２    吊下部
３    天井扇風機本体
４    ジョイント部
５    パイプ部
６    落下防止手段
７    引掛部
８    ワイヤー部
９    モータ部
１０  羽根部
１１  開口部
１２  突起部
１３  切欠部
１４  第１の軸部
１５  第２の軸部
１６  連結部
１７  本体カバー部
【図１】
2013217273.tif 000003
【図２】
2013217273.tif 000004
【図３】
2013217273.tif 000005
【図４】
2013217273.tif 000006
【図５】
2013217273.tif 000007
【図６】
2013217273.tif 000008
【図７】
2013217273.tif 000009